(57)【要約】【課題】より安価な構成によって２種類の周波数帯の電波を送受信可能なアンテナ装置を提供する。【解決手段】第１の周波数帯の電波を送受信する場合は、無線送受信回路２ａがアンテナ３を利用して電波を送受信し、第２の周波数帯の電波を送受信する場合には、無線送受信回路２ｂがアンテナ３と導電性部材５を利用して電波を送受信する。これにより、１つのアンテナ３のみで第１及び第２の周波数帯の２種類の周波数帯の電波を送受信することができるので、２つのアンテナを用いて２種類の周波数帯の電波を送受信する場合と比較してアンテナ装置を安価に構成することができる。【選択図】図１
2008271406.tif 000002
【特許請求の範囲】
【請求項１】
アンテナと、
前記アンテナに接続され、当該アンテナを利用して第１の周波数帯の電波を送受信する第１の送受信回路と、
導電性部材を介して前記アンテナに接続され、当該アンテナと導電性部材を利用して第２の周波数帯の電波を送受信する第２の送受信回路と
を備えることを特徴とするアンテナ装置。
【請求項２】
請求項１に記載のアンテナ装置において、前記アンテナに接続される送受信回路を前記第１の送受信回路と前記第２の送受信回路との間で切り換える第１の切換手段を備えることを特徴とするアンテナ装置。
【請求項３】
請求項１に記載のアンテナ装置において、導電性部材を介して前記アンテナに接続する経路と前記アンテナに直接接続する経路との間でアンテナと第２の送受信回路の接続経路を切り換える第２の切換手段と、前記第２の送受信回路が受信した電波の電界強度を検出する第２の検出部と、前記第２の検出部により検出された電界強度にしたがって前記第２の切換手段を制御することによりアンテナと第２の送受信回路の接続経路を切り換える制御手段とを備えることを特徴とするアンテナ装置。
【請求項４】
請求項２に記載のアンテナ装置において、電力を供給する送受信回路を前記第１の送受信回路と前記第２の送受信回路との間で切り換える第３の切換手段と、前記第１の送受信回路が受信した電波の電界強度を検出する第１の検出部と、前記第２の送受信回路が受信した電波の電界強度を検出する第２の検出部と、前記第１の検出部により検出された電界強度と前記第２の検出部により検出された電界強度とを比較する比較部と、前記比較部の比較結果にしたがって前記第１及び第３の切換手段を制御することにより前記アンテナに接続される送受信回路を前記第１の送受信回路と前記第２の送受信回路との間で切り換えると共に当該アンテナに接続された送受信回路に電力を供給する制御手段とを備えることを特徴とするアンテナ装置。
【請求項５】
請求項１乃至請求項４のうち、いずれか１項に記載のアンテナ装置において、前記第１の送受信回路と前記第２の送受信回路は一体により構成され、送受信する電波の周波数帯を第１の周波数帯と第２の周波数帯との間で切り換えることにより第１及び第２の周波数帯の電波を送受信することを特徴とするアンテナ装置。
【請求項６】
請求項１乃至請求項５のうち、いずれか１項に記載のアンテナ装置において、前記導電性部材はアンテナ装置が実装される情報通信装置の筐体の内壁又は外壁に沿って配置されることを特徴とするアンテナ装置。
【発明の詳細な説明】
【技術分野】
【０００１】
本発明は、特定小電力無線通信用周波数帯と微弱無線通信用周波数帯等の２種類の周波数帯の電波を送受信するアンテナ装置に関する。
【背景技術】
【０００２】
従来より、第１の周波数帯で共振する第１のアンテナと第２の周波数帯で共振する第２のアンテナとの２つのアンテナを設けることにより、２種類の周波数帯の電波を送受信可能にしたアンテナ装置が知られている（特許文献１参照）。
【特許文献１】特開平１０−２２７２９号公報
【発明の開示】
【発明が解決しようとする課題】
【０００３】
従来のアンテナ装置は、２種類のアンテナ（第１及び第２のアンテナ）によって２種類の周波数帯の電波を送受信する構成となっているために、専用のアンテナを２つ用意する必要があり、装置を安価に構成することが困難であった。
【０００４】
本発明は、上記課題を解決するためになされたものであり、その目的は、より安価な構成によって２種類の周波数帯の電波を送受信可能なアンテナ装置を提供することにある。
【課題を解決するための手段】
【０００５】
本発明に係るアンテナ装置は、アンテナと、アンテナに接続され、アンテナを利用して第１の周波数帯の電波を送受信する第１の送受信回路と、導電性部材を介してアンテナに接続され、アンテナと導電性部材を利用して第２の周波数帯の電波を送受信する第２の送受信回路とを備える。
【発明の効果】
【０００６】
本発明に係るアンテナ装置によれば、１つのアンテナにより２種類の周波数帯の電波を送受信することができるので、２つのアンテナを用いて２種類の周波数帯の電波を送受信する場合と比較してアンテナ装置を安価に構成することができる。
【発明を実施するための最良の形態】
【０００７】
以下、図面を参照して、本発明の一実施形態となるアンテナ装置の構成について説明する。
【０００８】
〔アンテナ装置の構成〕
始めに、図１を参照して、本発明の一実施形態となるアンテナ装置の構成について説明する。
【０００９】
本発明の一実施形態となるアンテナ装置１は、図１に示すように、２つの無線送受信回路２ａ，２ｂと１つのアンテナ３とを主な構成要素として備える。無線送受信回路２ａは、第１の周波数帯の電波を送受信する構成となっており、その給電部４ａはアンテナ３に直接接続されている。無線送受信回路２ｂは、第２の周波数帯の電波を送受信する構成となっており、その給電部４ｂは導電性部材５を介してアンテナ３に接続されている。アンテナ３は第１の周波数帯で共振するように設計され、アンテナ３と導電性部材５により擬似的に構成されるアンテナは第２の周波数帯で共振するように設計されている。
【００１０】
このアンテナ装置１では、第１の周波数帯の電波を送受信する場合は、無線送受信回路２ａがアンテナ３を利用して電波を送受信し、第２の周波数帯の電波を送受信する場合には、無線送受信回路２ｂがアンテナ３と導電性部材５を利用して電波を送受信する。従ってこのようなアンテナ装置１によれば、１つのアンテナ３のみで第１及び第２の周波数帯の２種類の周波数帯の電波を送受信することができるので、２つのアンテナを用いて２種類の周波数帯の電波を送受信する場合と比較してアンテナ装置を安価に構成することができる。なお、上記導電性部材５は、図６に示すように、アンテナ装置１が実装される情報通信装置３１の筐体の内壁又は外壁に沿って配置することが望ましい。このような構成によれば、上記アンテナ装置１を利用した情報通信装置３１の小型化を図ることができる。
【００１１】
〔応用例〕
次に、図２乃至図４を参照して、本発明の一実施形態となるアンテナ装置の幾つかの応用例の構成について説明する。
【００１２】
〔応用例１〕
図２に示すアンテナ装置は、上記一実施形態となるアンテナ装置１の構成に加えて、アンテナ３に接続される回路を無線送受信回路２ａと無線送受信回路２ｂとの間で切り換える切換スイッチ６と、切換スイッチ６の動作を制御する制御回路７とを備える。このアンテナ装置では、制御回路７が、切換スイッチ６を制御することによって、第１の周波数帯の電波を送受信する場合と第２の周波数帯の電波を送受信する場合とでアンテナ３に接続される回路を無線送受信回路２ａと無線送受信回路２ｂとの間で切り換える。このような構成によれば、一方の無線送受信回路が電波を送受信している際に他方の無線送受信回路からの影響を受けることを防止できる。
【００１３】
〔応用例２〕
図３に示すアンテナ装置は、上記一実施形態となるアンテナ装置１の構成に加えて、導電性部材５を介してアンテナ３に接続する経路とアンテナ３に直接接続する経路との間でアンテナ３と無線送受信回路２ｂの接続経路を切り換える切換スイッチ８と、無線送受信回路２ｂが受信した電波の電界強度を検出する検出部９と、検出部９により検出された電界強度にしたがって切換スイッチ８を制御することによりアンテナ３と無線送受信回路２ｂの接続経路を切り換える制御回路１０とを備える。このアンテナ装置では、検出部９により検出された電界強度が所定値以上である場合、制御回路１０が、切換スイッチ８を制御することによって、アンテナ３と無線送受信回路２ｂの接続経路を導電性部材５を介してアンテナ３に接続する経路からアンテナ３に直接接続する経路に切り換える。このような構成によれば、無線送受信回路２ｂの受信電力が強い場合にアンテナ３との接続経路を切り換えることによって受信電力を弱めることができる。
【００１４】
〔応用例３〕
図４に示すアンテナ装置は、図２に示すアンテナ装置１の構成に加えて、無線送受信回路２ａが受信した電波の電界強度を検出する検出部９ａと、無線送受信回路２ｂが受信した電波の電界強度を検出する検出部９ｂと、無線送受信回路２ａと無線送受信回路２ｂとの間で電源回路１１に接続する回路を切り換える切換スイッチ１２とを備える。このアンテナ装置では、制御回路７は、検出部９ａ，９ｂにより検出された電界強度を比較部１３において比較し、比較部１３の比較結果にしたがって受信電波の電界強度が強い方の回路に電源回路１１を接続，動作させる。このような構成によれば、受信電波の電界強度が強い方の無線送受信回路のみを動作させることができるので省電力化を図ることができる。
【００１５】
以上、本発明者によってなされた発明を適用した実施の形態について説明したが、この実施の形態による本発明の開示の一部をなす論述及び図面により本発明は限定されることはない。例えば、上記実施形態ではアンテナ装置１は２つの無線送受信回路２ａ，２ｂを備えていたが、図５に示すように無線送受信回路２ａ，２ｂを一体に構成してもよい。図５に示すアンテナ装置２１は、アンテナ３と１つの無線送受信回路２２とを備える。無線送受信回路２２は、第１の周波数帯の電波に対応したフィルタ２３ａと、第２の周波数帯の電波に対応したフィルタ２３ｂと、フィルタ２３ａ，２３ｂに接続され、第１及び第２の周波数帯の電波を送受信する送受信部２４と、送受信部２４に接続され、第１の周波数帯の電気信号を生成する無線周波数生成部２５ａと、送受信部２４に接続され、第２の周波数帯の電気信号を生成する無線周波数生成部２５ｂとを有する。このアンテナ装置２１では、制御回路２８が、切換スイッチ６ａ，６ｂを制御することによってアンテナ３に接続するフィルタをフィルタ２３ａとフィルタ２３ｂとの間で切り換えることにより、送受信する電波の周波数帯を第１の周波数帯と第２の周波数帯との間で切り換える。このような構成によれば、アンテナ装置の構成を簡素化し、より安価に構成することができる。このように、上記実施の形態に基づいて当業者等によりなされる他の実施の形態、実施例及び運用技術等は全て本発明の範疇に含まれることは勿論であることを付け加えておく。
【産業上の利用可能性】
【００１６】
本発明は、２種類の周波数帯の電波を送受信する装置に適用することができる。
【図面の簡単な説明】
【００１７】
【図１】本発明の実施形態となるアンテナ装置の構成を示すブロック図である。
【図２】図１に示すアンテナ装置の応用例の構成を示すブロック図である。
【図３】図１に示すアンテナ装置の応用例の構成を示すブロック図である。
【図４】図２に示すアンテナ装置の応用例の構成を示すブロック図である。
【図５】図２に示すアンテナ装置の応用例の構成を示すブロック図である。
【図６】本発明の実施形態となるアンテナ装置の情報処理装置へのレイアウト例を示す模式図である。
【符号の説明】
【００１８】
１：アンテナ装置
２ａ，２ｂ：無線送受信回路
３：アンテナ
４ａ，４ｂ：給電部
５：導電性部材
【図１】
2008271406.tif 000003
【図２】
2008271406.tif 000004
【図３】
2008271406.tif 000005
【図４】
2008271406.tif 000006
【図５】
2008271406.tif 000007
【図６】
2008271406.tif 000008